(57)【要約】【課題】使用者の排尿量に応じて補助吸収体を設けることができ、補助吸収体を設けた場合でも嵩張りにくい吸収性物品を提供する。【解決手段】トップシート３とバックシート４とこれらの間に配された第１吸収性コア５とを有する吸収積層体２と、吸収積層体２の幅方向両側に設けられ、長手方向に延在する一対のサイドシート６とを有する吸収性物品１であって；サイドシート６はトップシート３側に設けられ、トップシート３および／またはバックシート４に接合され、サイドシート６と吸収積層体２との間にポケット７が形成され；ポケット７内には、第１吸収性コア５の幅方向外方に第２吸収性コア８が着脱自在に設けられていることを特徴とする吸収性物品。【選択図】図１
2011072359.tif 000002
【特許請求の範囲】
【請求項１】
トップシートとバックシートとこれらの間に配された第１吸収性コアとを有する吸収積層体と、前記吸収積層体の幅方向両側に設けられ、長手方向に延在する一対のサイドシートとを有する吸収性物品であって；
前記サイドシートはトップシート側に設けられ、トップシートおよび／またはバックシートに接合され、サイドシートと吸収積層体との間にポケットが形成され；
前記ポケット内には、前記第１吸収性コアの幅方向外方に第２吸収性コアが着脱自在に設けられていることを特徴とする吸収性物品。
【請求項２】
前記サイドシートは、接合部でトップシートおよび／またはバックシートに接合され；
前記ポケットは、接合部がサイドシートの内方縁より外方に設けられるとともに、第１吸収性コアの側縁より外方に設けられることにより形成されている請求項１に記載の吸収性物品。
【請求項３】
前記吸収性物品は、長手方向に前側部と後側部とこれらの間に位置する中間部とを有し；
前記ポケットは、前側部および／または後側部に設けられ；
前記吸収性物品は、ポケットが設けられた前側部および／または後側部が幅広に形成されている請求項１または２に記載の吸収性物品。
【請求項４】
前記第１吸収性コアは、ポケットが設けられる部分で、側縁が直線形状である請求項１〜３のいずれか一項に記載の吸収性物品。
【請求項５】
前記バックシートには、第１吸収性コアの側縁より外方に、留め具が設けられる請求項１〜４のいずれか一項に記載の吸収性物品。
【請求項６】
前記サイドシートには長手方向に延在する弾性部材が設けられ、当該弾性部材が伸張状態で第１吸収性コアの側縁よりも内方に位置する請求項１〜５のいずれか一項に記載の吸収性物品。
【発明の詳細な説明】
【技術分野】
【０００１】
本発明は、尿パッド、失禁パッド、生理用ナプキン等の吸収性物品に関するものである。
【背景技術】
【０００２】
従来、吸収性物品の尿等の収容能力を向上させるために、交換可能な補助吸収体を設けることができる吸収性物品が知られている。例えば、特許文献１には、トップシートと、バックシートと、これらの間に設けられた第１吸収体と、トップシートの上面の両側に設けられたサイドシートとを有し、トップシートと各サイドシートとの間に交換可能な第２吸収体を位置決めして挿入できるポケットが形成されている使い捨ておむつが開示されている。
【先行技術文献】
【特許文献】
【０００３】
【特許文献１】国際公開第２００１／０３９７１４号
【発明の概要】
【発明が解決しようとする課題】
【０００４】
しかし、特許文献１に開示された吸収性物品は、第２吸収体を第１吸収体上に載せて使用するものであり、第２吸収体を取り付けた際には、吸収性物品が嵩張って違和感を覚えやすくなる。
【０００５】
本発明は前記事情に鑑みてなされたものであり、その目的は、使用者の排尿量に応じて補助吸収体を設けることができ、補助吸収体を設けた場合でも嵩張りにくい吸収性物品を提供することにある。
【課題を解決するための手段】
【０００６】
前記課題を解決することができた本発明の吸収性物品とは、トップシートとバックシートとこれらの間に配された第１吸収性コアとを有する吸収積層体と、前記吸収積層体の幅方向両側に設けられ、長手方向に延在する一対のサイドシートとを有し；前記サイドシートはトップシート側に設けられ、トップシートおよび／またはバックシートに接合され、サイドシートと吸収積層体との間にポケットが形成され；前記ポケット内には、前記第１吸収性コアの幅方向外方に第２吸収性コアが着脱自在に設けられているところに特徴を有する。
【０００７】
本発明の吸収性物品は、第２吸収性コアが着脱自在に設けられているため、排尿量が多い使用者に対しては第２吸収性コアを取り付けて吸収性物品を使用し、排尿量が少ない使用者に対しては第２吸収性コアを外して吸収性物品を使用することができる。従って、１種類の吸収性物品で排尿量の多い人にも少ない人にも対応でき、様々な種類の吸収性物品を常備する病院や施設等では、吸収性物品の保管量や保管場所を少なくすることができ、効率的である。また、第２吸収性コアが第１吸収性コアの幅方向外方に設けられるため、吸収性物品が嵩張りにくく、着用感が良好になる。
【０００８】
サイドシートは、接合部でトップシートおよび／またはバックシートに接合され、ポケットは、接合部がサイドシートの内方縁より外方に設けられるとともに、第１吸収性コアの側縁より外方に設けられることにより形成されていることが好ましい。
【０００９】
吸収性物品は、長手方向に前側部と後側部とこれらの間に位置する中間部とを有し、ポケットは、前側部および／または後側部に設けられ、吸収性物品は、ポケットが設けられた前側部および／または後側部が幅広に形成されていることが好ましい。前記構成によれば、吸収性物品の中間部の幅は、第２吸収性コアの取り付けの有無に関わらず、ほぼ一定となる。従って、吸収性物品は、中間部を着用者の股間に当てて使用することで、着用者に対するフィット性が常に確保されやすくなる。
【００１０】
第１吸収性コアは、ポケットが設けられる部分で、側縁が直線形状であることが好ましい。前記構成によれば、第２吸収性コアを外して吸収性物品を使用する際に、ポケットが設けられた部分で、第１吸収性コアの幅方向外方の部分をバックシート側に折り返すことが容易になる。
【００１１】
前記バックシートには、第１吸収性コアの側縁より外方に、留め具が設けられることが好ましい。留め具が設けられていれば、ポケットが設けられた部分で、第１吸収性コアの幅方向外方の部分をバックシート側に折り返した状態を維持することが可能になる。
【００１２】
前記サイドシートには長手方向に延在する弾性部材が設けられ、当該弾性部材が伸張状態で第１吸収性コアの側縁よりも内方に位置することが好ましい。前記構成によれば、サイドシートにより形成されるポケットの深さが十分深くなるとともに、弾性部材の収縮力によりポケットの開口が締まるようになるため、第２吸収性コアを安定してポケット内に収容することができる。
【発明の効果】
【００１３】
本発明の吸収性物品は、１種類の吸収性物品で排尿量の多い人にも少ない人にも対応できるため、効率的である。また、第２吸収性コアを設けた場合でも、吸収性物品が嵩張りにくく、着用感が良好になる。
【図面の簡単な説明】
【００１４】
【図１】本発明の吸収性物品の一実施態様として、外形が羽子板形状の尿パッドの平面図を表す。
【図２】本発明の吸収性物品の一実施態様として、外形が砂時計形状の尿パッドの平面図を表す。
【図３】本発明の吸収性物品の一実施態様として、外形が長方形の尿パッドの平面図を表す。
【図４】図４（ａ）は、図１のＡ−Ａ断面図、図２のＣ−Ｃ断面図、および図３のＥ−Ｅ断面図を表し、図４（ｂ）は、図１のＢ−Ｂ断面図、および図２のＤ−Ｄ断面図を表す。
【図５】図１の尿パッドにおいて、第２吸収性コアを外して使用する場合の使用例を表す。
【図６】図５のＦ−Ｆ断面図を表す。
【発明を実施するための形態】
【００１５】
本発明の吸収性物品について、図面を参照して説明する。なお、本発明は、図面に示された実施態様に限定されるものではない。
【００１６】
図１〜図３は各々、本発明の吸収性物品の実施態様の例を表す。図では、吸収性物品として尿パッドを例にとり、示している。図１は外形が羽子板形状の尿パッドを示し、図２は外形が砂時計形状の尿パッドを示し、図３は外形が長方形の尿パッドを示している。図４（ａ）は、図１のＡ−Ａ断面図、図２のＣ−Ｃ断面図、および図３のＥ−Ｅ断面図を表し、図４（ｂ）は、図１のＢ−Ｂ断面図、および図２のＤ−Ｄ断面図を表す。図では、矢印ｘを幅方向、矢印ｙを長手方向と定義付け、矢印ｘ，ｙにより形成される面に対して垂直方向を厚み方向ｚと定義付ける。
【００１７】
本発明の吸収性物品１は、トップシート３とバックシート４とこれらの間に配された第１吸収性コア５とを有する吸収積層体２と、吸収積層体２の幅方向ｘの両側に設けられ、長手方向ｙに延在する一対のサイドシート６とを有する。
【００１８】
トップシート３は、吸収性物品の着用の際、着用者に面するように配され、液透過性であることが好ましい。トップシート３に用いられる液透過性のシートとしては、例えば、セルロース（パルプ、コットン等）、レーヨン等の親水性繊維から形成された不織布；ポリプロピレン、ポリエチレン、ポリエステル、ポリアミド、ナイロン等の疎水性繊維から形成された不織布であって、当該疎水性繊維の表面が界面活性剤により親水化されたもの；開孔を有するプラスチックフィルム等が挙げられる。尿等の排泄物はトップシート３を通って第１吸収性コア５に吸収される。
【００１９】
バックシート４は、吸収性物品の着用の際、着用者とは反対側、すなわち外側に位置するシートであり、液不透過性であることが好ましい。バックシート４に用いられる液不透過性のシートとしては、例えば、ポリプロピレン、ポリエチレン、ポリエステル、ポリアミド、ナイロン等の疎水性繊維から形成された不織布；プラスチックフィルム等を用いることができる。液不透過性のシートとしてプラスチックフィルムを用いる場合、プラスチックフィルムは通気性であっても非通気性であってもよいが、吸収性物品着用時のムレ防止の点から、プラスチックフィルムは通気性であることが好ましい。また、液不透過性のシートとして、不織布とプラスチックフィルムとの積層体を用いてもよい。なお、「液不透過性」とは、「撥水性」の意味も含むものとする。
【００２０】
トップシート３、バックシート４、および後述するサイドシート６に不織布を用いる場合、不織布としては、スパンボンド法、エアスルー法、ポイントボンド法、メルトブロー法、エアレイド法やそれらの製法の組み合わせ（例えば、ＳＭＳ法）等により製造された不織布を用いればよい。
【００２１】
第１吸収性コア５は、トップシート３とバックシート４との間に設けられ、尿等の排泄物を吸収する。第１吸収性コア５としては、例えば、吸収性材料を所定形状に成形した成形体を用いたり、吸収性材料を紙シート（例えば、ティッシュペーパー）や液透過性不織布シート等の被覆シートで覆ったものや、吸収性材料を紙シートや液透過性不織布シート等のシートに散布したものを用いることができる。吸収性材料としては、例えば、粉砕したパルプ繊維、セルロース繊維等の親水性繊維や、ポリアクリル酸系、セルロース系、デンプン・アクリロニトリル系等の吸水性樹脂等が挙げられる。吸収性材料は、少なくとも吸水性樹脂を含んでいることが好ましい。また、吸収性材料として、親水性繊維の集合体に吸水性樹脂を混合したものを用いてもよい。
【００２２】
第１吸収性コア５は、吸収積層体２の長手方向ｙのほぼ全長にわたって設けられることが好ましい。一方、第１吸収性コア５の幅は、１００ｍｍ〜３００ｍｍであることが好ましく、１２０ｍｍ〜２５０ｍｍであることがより好ましい。
【００２３】
第１吸収性コア５の形状は特に限定されない。第１吸収性コア５の形状としては、例えば、長方形、楕円形、砂時計型、ひょうたん型、羽子板型等が挙げられる。第１吸収性コア５は、好ましくは側縁の少なくとも一部が直線形状を有する。吸収性物品１は、後述するように、ポケット７が設けられる部分で第１吸収性コア５の幅方向ｘの外方部分が折り返し可能であることから、少なくともポケット７が設けられる部分で、第１吸収性コア５の側縁５Ｅが直線形状となることが好ましい。第１吸収性コア５の側縁５Ｅが直線形状であれば、第１吸収性コア５の幅方向ｘの外方部分の折り返しが容易になる。なお、前記において、「ポケットが設けられる部分」とは、「ポケットが設けられる長手方向ｙに対する部分」を意味する。第２吸収性コア５の形状は、より好ましくは、長方形である。
【００２４】
吸収積層体２は、第１吸収性コア５がトップシート３とバックシート４との間に配されて、形成される。トップシート３とバックシート４は、長手方向ｙの一部または全部で、第１吸収性コア５よりも幅広に形成される。好ましくは、後述するポケット７が設けられる部分で少なくとも、トップシート３とバックシート４とが第１吸収性コア５よりも幅広に形成される。
【００２５】
サイドシート６は、吸収積層体２の幅方向ｘの両側に設けられ、長手方向ｙに延在する。サイドシート６は吸収積層体２のトップシート３側に設けられ、トップシート３および／またはバックシート４に接合され、サイドシート６と吸収積層体２との間にポケット７が形成される（図４（ａ）参照）。図４（ａ）では、サイドシート６はバックシート４のみに接合されているが、トップシート３とバックシート４の幅方向ｘの長さに応じて、サイドシート６はトップシート３のみに接合される場合もあり、トップシート３とバックシート４とに接合される場合もある。
【００２６】
サイドシート６は液不透過性であることが好ましい。サイドシート６に用いられる液不透過性のシートとしては、バックシート４に使用可能な液不透過性のシートを用いればよい。サイドシート６により、ポケット７が形成されるとともに、立ち上がりフラップが形成され、尿等の排泄物の横漏れが防止される。
【００２７】
ポケット７内には、第１吸収性コア５の幅方向ｘの外方に、第２吸収性コア８が着脱自在に設けられる。つまり、ポケット７は、第２吸収性コア８が収容可能なように、第１吸収性コア５の幅方向ｘの外方に形成される。好ましくは、サイドシート６は、接合部９でトップシート３および／またはバックシート４に接合され、ポケット７は、接合部９がサイドシート６の内方縁６Ｅより外方に設けられるとともに、第１吸収性コア５の側縁５Ｅより外方に設けられることにより形成される。この場合、ポケット７は、サイドシート６の内方縁６Ｅと吸収積層体２の第１吸収性コア５の側縁５Ｅ相当箇所とからポケット７の開口が形成され、接合部９がポケット７の底を形成し、開口が吸収性物品１の幅方向中央に向くこととなる。第２吸収性コア８は、ポケット７内で、吸収積層体２上の第１吸収性コア５の側縁５Ｅと接合部９との間に設けられる。
【００２８】
ポケット７は、第１吸収性コア５の幅方向ｘの外方に設けられるのであれば、吸収積層体２の長手方向ｙ全体にわたって設けられてもよく、長手方向ｙの一部に設けられてもよい。図１〜図３では、第２吸収性コア８が設けられる部分がポケット７に相当するが、図１および図２ではポケット７が吸収積層体２の長手方向ｙの一部に設けられているのに対し、図３ではポケット７が吸収積層体２の長手方向ｙのほぼ全体にわたって設けられている。本発明は、いずれの実施態様をも含む。
【００２９】
ポケット７に第２吸収性コア８が設けられるためには、ポケット７はある程度の深さを有することが好ましい。この点から、第１吸収性コア５の側縁５Ｅと接合部９との間の長さは、最大で１５ｍｍ以上あることが好ましく、２０ｍｍ以上あることがより好ましい。前記長さの上限は特に限定されないが、吸収性物品１の幅が広くなりすぎて着用しにくくならないようにする点から、前記長さは最大で１５０ｍｍ以下が好ましく、１２０ｍｍ以下がより好ましい。また、ポケット７の深さを確保する点から、サイドシート６は、第１吸収性コア５の側縁５Ｅよりも内方に延在していることが好ましい。
【００３０】
ポケット７が形成される部分は、接合部９が第１吸収性コア５の側縁５Ｅより外方に位置するが、ポケット７が形成されない部分は、接合部９の位置は特に限定されない。すなわち、ポケット７が形成されない長手方向ｙに沿った部分は、接合部９が第１吸収性コア５の側縁５Ｅより外方に位置しても、内方に位置しても、側縁５Ｅと一致して位置してもよい。好ましくは、ポケット７の深さを深くする点から、ポケット７が形成されない部分は、図４（ｂ）に示されるように、接合部９の内方縁が第１吸収性コア５の側縁５Ｅより内方に位置する。
【００３１】
サイドシート６には、長手方向ｙに延在する弾性部材１０が設けられることが好ましい。弾性部材１０の配設位置は、サイドシート６の内方縁６Ｅと接合部９との間であれば、特に限定されない。サイドシート６に弾性部材１０が設けられることにより、弾性部材１０の収縮力により立ち上がりフラップが厚み方向ｚに立ち上がり、ポケット７の開口が形成されやすくなる。従って、ポケット７内への第２吸収性コア８の取り付けが容易になるとともに、吸収性物品１の使用時、尿等の排泄物がポケット７に移動しやすくなり、第２吸収性コア８が有効に機能しやすくなる。また、弾性部材１０の収縮力により、サイドシート６が着用者の肌に向かって立ち上がり、防漏壁が形成されやすくなる。
【００３２】
弾性部材１０は、伸張状態で第１吸収性コア５の側縁５Ｅよりも内方に位置するように、サイドシート６に設けられることが好ましい。この場合、サイドシート６により形成されるポケット７の深さが十分深くなるとともに、弾性部材１０の収縮力によりポケット７の開口が締まるようになるため、第２吸収性コア８が安定してポケット７内に収容されるようになる。サイドシート６に設けられた弾性部材１０と第１吸収性コア５の側縁５Ｅとの位置関係は、弾性部材１０を伸張させた状態でサイドシート６と吸収積層体２とを重ね合わせることにより、比較すればよい。
【００３３】
サイドシート６は、長手方向ｙの端部で、内面が吸収積層体２上に接合していることが好ましい。これにより、吸収性物品１の幅方向中央に開口し、底の深いポケット７が形成されやすくなる。また、尿等の長手方向への漏れが防止されやすくなる。
【００３４】
弾性部材１０は、図に示されるように、少なくともサイドシート６の内方縁６Ｅに設けられ、サイドシート６の内方縁６Ｅに設けられた弾性部材１０が第１吸収性コア５の側縁５Ｅよりも内方に位置することが好ましい。このように弾性部材１０が設けられることにより、より深いポケット７が形成されるようになる。
【００３５】
弾性部材１０としては、ポリウレタン糸、ポリウレタンフィルム、天然ゴム等の通常吸収性物品に用いられる弾性伸縮材料が用いることができる。弾性部材１０は、伸張状態で、ホットメルト接着剤で固定されることが好ましい。例えば、繊度１００〜２，５００ｄｔｅｘのポリウレタン糸を、倍率１．１〜５．０倍に伸張して配設し、固定する。接合手段としては、好ましくは、ゴム系のホットメルト接着剤である。
【００３６】
ポケット７内には、第１吸収性コア５の幅方向ｘの外方に、第２吸収性コア８が着脱自在に設けられる。吸収性物品１は、第２吸収性コア８が着脱自在に設けられているため、排尿量が多い使用者に対しては第２吸収性コア８を取り付けて吸収性物品１を使用し、排尿量が少ない使用者に対しては第２吸収性コア８を外して吸収性物品１を使用することができる。本発明の吸収性物品は、１種類の吸収性物品で排尿量の多い人にも少ない人にも対応できるため、例えば吸収量の異なる様々な吸収性物品を常備する必要のある病院や施設等では、吸収性物品の保管量や保管場所を少なくすることができ、効率的である。また、第２吸収性コア８が第１吸収性コア５の幅方向ｘの外方に設けられるため、第２吸収性コア８を取り付けて吸収性物品１を使用する場合でも、吸収性物品１が嵩張りにくく、着用感が良好になる。
【００３７】
第２吸収性コア８の構成材料や形態については、第１吸収性コア５に関する前記説明と同様である。第２吸収性コア８としては、第１吸収性コア５に使用可能な物品を用いればよい。第２吸収性コア８の取り扱い容易性の点から、第２吸収性コア８としては、吸収性材料が紙シートや液透過性不織布シート等の被覆シートで覆われたものが好ましい。
【００３８】
第２吸収性コア８には、固定手段が設けられていることが好ましい。第２吸収性コア８に固定手段が設けられていれば、第２吸収性コア８を吸収積層体２上に固定することができ、吸収性物品１を使用中に、第２吸収性コア８がずれにくくなる。固定手段は、トップシート３またはバックシート４に接合可能な部材であれば、特に限定されない。固定手段は、トップシート３やバックシート４の素材に応じて適宜選択すればよく、例えば、粘着剤（例えば、粘着テープ、粘着剤層等）やフック部材（例えば、錨形や鉤形やきのこ型等の形状のフックを有する部材）等を採用すればよい。例えば、トップシート３やバックシート４が不織布製である場合は、固定部材として、粘着剤やフック部材を採用すればよい。トップシート３やバックシート４がプラスチックフィルム製である場合は、固定部材として、粘着剤を採用すればよい。
【００３９】
第２吸収性コア８の幅方向ｘの長さは特に限定されないが、第２吸収性コア８の幅は第１吸収性コア５の幅よりも狭いことが好ましい。また、第２吸収性コア８の幅は、第１吸収性コア５の側縁５Ｅと接合部９との間の長さ以下であることが好ましい。従って、第２吸収性コア８の幅は、１０ｍｍ〜１２０ｍｍであることが好ましく、１５ｍｍ〜１１５ｍｍであることがより好ましい。
【００４０】
前記説明したように、第１吸収性コア５は、ポケット７が設けられる部分で、側縁５Ｅが長手方向ｙに沿って直線形状を有することが好ましいことから、第２吸収性コア８も第１吸収性コア５と隣接する部分が直線形状であることが好ましい。この場合、第１吸収性コア５との隙間を狭くして第２吸収性コア８を並べることが容易になり、尿等の漏れを防止しやすくなる。第２吸収性コア８の形状としては、例えば、長方形、台形、多角形、円切片（弦と弧とからなる閉曲線）等が好ましい。例えば、図１では２つの台形の第２吸収性コア８が用いられ、図２では４つの台形の吸収性コア８が用いられ、図３では２つの長方形の第２吸収性コア８が用いられている。
【００４１】
第２吸収性コア８は、少なくとも一部が第１吸収性コア５の幅方向外方に位置する限り、第１吸収性コア５と重なって設けられても、そうでなくてもよい。好ましくは、第２吸収性コア８は、第１吸収性コア５とは重ならずに、隣接して配置されることが好ましい。
【００４２】
本発明の吸収性物品の使用方法を、図１および図５を用いて説明する。図１は、吸収性物品として外形が羽子板形状の尿パッドを表し、第２吸収性コアを取り付けて使用する場合を表す。図５は、図１の尿パッドにおいて、第２吸収性コアを外して使用する場合を表す。
【００４３】
図１は、排尿量が多い使用者が使用する場合の態様を表している。図１では、ポケット７内の第１吸収性コア５の幅方向外方に第２吸収性コア８が設けられている。図１では、第１吸収性コア５に加え第２吸収性コア８が設けられているため、より多くの尿等を扱うことができる。
【００４４】
図５は、排尿量が少ない使用者が使用する場合の態様を表している。図５では、第２吸収性コア８が外され、吸収性物品１は、ポケット７が設けられた部分で、第１吸収性コア５の幅方向ｘの外方部分がバックシート４側に折り返されている。このように吸収性物品１を使用することにより、ポケット７が設けられた部分がバックシート４の裏側に収容され、第２吸収性コア８を取り外した場合でも吸収性物品１の取り扱い性が良好となる。また、ポケット７内に尿等が移行しにくくなり、吸収性物品１から尿等が漏れにくくなる。
【００４５】
ポケット７が設けられた部分がバックシート４側に折り返された状態を安定して維持するために、バックシート４には、第１吸収性コア５の側縁５Ｅより外方に、留め具１１が設けられることが好ましい（図４（ａ）、図６参照）。留め具１１は、ポケット７が設けられた部分が折り返されてバックシート４に接合可能な部材であれば、特に限定されない。留め具１１は、バックシート４の素材に応じて適宜選択すればよく、例えば、粘着剤（例えば、粘着テープ、粘着剤層等）やフック部材（例えば、錨形や鉤形やきのこ型等の形状のフックを有する部材）等を採用すればよい。例えば、バックシート４が不織布製である場合は、留め具１１として、粘着剤やフック部材を採用すればよい。バックシート４がプラスチックフィルム製である場合は、留め具１１として、粘着剤を採用すればよい。
【００４６】
吸収性物品１は、第２吸収性コア８を取り付けて使用する場合と、第２吸収性コア８を取り外して使用する場合とで、ポケット７が設けられる部分で幅方向ｘの長さが変わる。しかし、一般に、着用者によって股間の幅（大腿部の間の長さ）は大きく変わらないことから、例えば図３に示すように、第２吸収性コア８が吸収積層体２の長手方向ｙのほぼ全体にわたって設けられているような場合は、吸収性物品１の着用感が悪化するおそれがある。具体的には、第２吸収性コア８を取り付けて使用する場合に、吸収性物品１が股間で嵩張ったり、逆に第２吸収性コア８を外して使用する場合に、吸収性物品１が股間でフィット性良く固定しなくなるおそれがある。
【００４７】
このような点から、吸収性物品１は、長手方向ｙに前側部と後側部とこれらの間に位置する中間部とを有し、ポケット７は、前側部および／または後側部に設けられていることが好ましい。その上で、吸収性物品１は、ポケット７が設けられた前側部および／または後側部が幅広に形成されていることが好ましい。この場合、吸収性物品１の中間部の幅は、第２吸収性コア８の取り付けの有無に関わらず、ほぼ一定となる。従って、吸収性物品１は、中間部を股間に当てて使用することで、着用者に対するフィット性が常に確保されやすくなる。
【００４８】
ここでいう「前側部」、「後側部」、「中間部」とは、吸収性物品１に対して絶対的に定められるものではなく、相対的に定められるものである。つまり、ポケット７が前側部および／または後側部に設けられているとは、ポケット７が吸収性物品１の長手方向ｙの一方にのみ設けられるか、一方と他方とに分離して設けられることを規定している。例えば、ポケット７が後側部のみに設けられる場合は、中間部と前側部とは明確に区別されなくてもよい。
【００４９】
図１の実施態様では、ポケット７が後側部にのみ設けられ、吸収性物品１は、ポケット７が設けられた後側部が中間部と前側部とよりも幅広に形成されている。図１の実施態様では、中間部と前側部とは明確に区別されない。図２の実施態様では、ポケット７が前側部と後側部とに設けられ、吸収性物品１は、ポケット７が設けられた前側部と後側部とが中間部よりも幅広に形成されている。図１と図２のいずれの実施態様においても、中間部を股間に当てて吸収性物品１を着用することで、着用者に対するフィット性が常に確保されやすくなる。
【００５０】
図１および図２の実施態様では、ポケット７が設けられた前側部および／または後側部で、第１吸収性コア５の側縁５Ｅが直線形状となっている。従って、第２吸収性コア８を取り外して使用する場合、ポケット７が設けられた前側部および／または後側部で、側縁５Ｅに沿って第１吸収性コア５の幅方向ｘの外方部分を折り返すことで、当該部分の折り返しが容易になる。
【００５１】
上記では、本発明の吸収性物品を尿パッドに適用する場合について説明したが、本発明の吸収性物品は尿パッドに限定されず、失禁パッドや生理用ナプキン等にも適用できる。
【符号の説明】
【００５２】
１：  吸収性物品（尿パッド）
２：  吸収積層体
３：  トップシート
４：  バックシート
５：  第１吸収性コア
６：  サイドシート
７：  ポケット
８：  第２吸収性コア
９：  接合部
１０：  弾性部材
１１：  留め具
【図１】
2011072359.tif 000003
【図２】
2011072359.tif 000004
【図３】
2011072359.tif 000005
【図４】
2011072359.tif 000006
【図５】
2011072359.tif 000007
【図６】
2011072359.tif 000008